(57)【特許請求の範囲】
【請求項１】
遮断器により保護される電力システム（１）の導体中を流れる電流を表す２次電流を出力する少なくとも１つの電流センサ（Ｔ１，Ｔ２，Ｔ３）と、
前記遮断器により保護される電力システム（１）の導体中を流れる電流を表す信号を受けて、トリップ指令を出力する処理ユニット（４）と、
前記電流センサに接続された入力端子、トリップ装置の電気及び電子回路（４，５，８）に電力を供給する電源ライン（１０）に接続された出力端子、及びこれら入力端子と出力端子との間に接続された第１の安定化手段（１５，１６）を有する第１の電源回路（７）と、
外部電源（１１）に接続された入力端子、及び前記電源ライン（１０）に接続された出力端子を有する第２の電源回路（９）と、
を備えた遮断器用電子トリップ装置において、
第２の電源回路（９）の出力端子に接続された入力端子と、前記電源ライン（１０）に接続された出力端子と、前記第１のチョッピング安定化手段（１５，１６）に接続された制御手段（２０）と、を有する第２の安定化手段（１７）を備えており、
前記制御手段（２０）は、前記電流センサにより供給される電流が増加したときに、前記第２の電源回路により供給される平均電流を前記第２の安定化手段（１７）が低減するように制御を行うものである、
ことを特徴とする遮断器用トリップ装置。
【請求項２】
前記第２の安定化手段（１７）は、その入力端子と出力端子との間に接続された電流制限手段（１８，２２，４７，４８，４９）を有しており、前記リミット手段は、前記制御手段（２０）により制御されるものである、
ことを特徴とする請求項１記載の遮断器用トリップ装置。
【請求項３】
前記第１の安定化手段（１５，１６）は、第１のチョッピング安定器（１５，１６，２１，３７〜４４）を有しており、前記第２の安定化手段（１７）は第２のチョッピング安定器（１８，２０，２２，５８，５６，５７）を有しており、前記制御手段（２０）は、前記第１及び第２のチョッピング安定器間に接続された同期化手段（２３，５３〜５５）を有している、
ことを特徴とする請求項１又は２記載の遮断器用トリップ装置。
【請求項４】
前記第１のチョッピング安定器（１５，１６，２１，３７〜４４）は、前記第１の安定化手段の入力端子に接続された電流転換手段（１５）と、前記電源ラインとこの転換手段との間に接続された第１の検出手段とを有しており、前記検出手段は、前記電源ラインの電圧が予め設定された第１の閾値を超えた場合に、前記第１の安定化手段の入力端子の短絡を指令するものであり、
前記第２のチョッピング安定器は、前記制御手段（２０）により制御される電流遮断手段（１８，２２，４７，５８）を有しており、この制御手段は、前記第１の安定化手段がこの第１の安定化手段の入力端子の短絡を指令した場合に、前記第２の安定器により供給される電流の遮断を指令するものである、
ことを特徴とする請求項３記載の遮断器用トリップ装置。
【請求項５】
前記第２の安定化手段（１７）の出力端子は前記第１の安定化手段（１６）の入力端子に接続されている、
ことを特徴とする請求項１乃至４のいずれかに記載の遮断器用トリップ装置。
【請求項６】
前記第２の安定化手段（１７）の出力端子は前記第１の安定化手段（１６）の出力端子に接続されている、
ことを特徴とする請求項１乃至４のいずれかに記載の遮断器用トリップ装置。
【請求項７】
前記第２の電源回路（９）は、前記外部電源（１１）に接続された整流回路（２４）と、この整流回路の出力端子に接続された電圧リミッタ（２５）と、このリミッタ（２５）の出力端子に接続され、前記第２の安定化手段（１７）の入力端子に電圧を供給するチョッピング（２６）と、を有するものである、
ことを特徴とする請求項１乃至６のいずれかに記載の遮断器用トリップ装置。
【請求項８】
前記前記チョッピング（２６）は、発振器（３０）により給電される１次巻線（２８）と、この１次巻線と電気的に絶縁され、前記第２の安定化手段（１７）の入力端子に接続された２次巻線（２９）とを有するトランス（２７）を備えている、
ことを特徴とする請求項７記載の遮断器用トリップ装置。
【請求項９】
前記チョッピング（２６）はフライバックタイプのものである、
ことを特徴とする請求項８記載の遮断器用トリップ装置。
【発明の詳細な説明】
【０００１】
【発明の属する技術分野】
本発明は、遮断器により保護される電力システムの導体中を流れる電流を表す２次電流を出力する少なくとも１つの電流センサと、前記遮断器により保護される前記電力システムの導体中を流れる電流を表す信号を入力し、トリップ指令を出力する処理ユニットと、前記電流センサに接続された入力端子、トリップ装置の電子及び電気回路に電力を供給する電源ラインに接続された出力端子、及びこれら入力端子と出力端子との間に接続された第１の調整手段を有する第１の電源回路と、外部電源に接続された入力端子、及び前記電源ラインに接続された出力端子を有する第２の電源回路と、を備えた遮断器用電子トリップ装置に関するものである。
【０００２】
【従来の技術】
公知のタイプの電子トリップ装置は、電子回路及びトリップリレーの動作に必要な電力を供給するための電源回路を有している。この電源回路は、一般に、保護すべき電力システムの電源導体上に取り付けられた変流器に接続されている。この変流器により供給される電流は整流された後、別の遮断器回路に対して直流電圧を出力する電源回路へ出力される。
【０００３】
従来技術における電源回路は、出力された電圧が予め設定された閾値を超えた場合に、変流器の２次側電流を短絡させるチョッピング安定器を有している。変流器により供給される電流は、一般に、トリップ装置に通常の動作を行わせるのに充分なものである。
【０００４】
トリップ装置は、例えば、電力計測、負荷状態監視、絶縁状態又は漏れ電流などの電気的保護に関連する機能を持つように設計された補助回路を有することが可能である。補助回路がトリップ装置内に設けられている場合、変流器により供給される電流は、これらの全ての回路に充分に出力されないかもしれない。
【０００５】
電子トリップ装置の重要な機能は電力システムの保護であるから、変流器により供給される電力は、この保護を実行するこれらの回路のために優先して蓄えられる。或る公知のトリップ装置においては、変流器により供給される電流が不充分になり始めたとき、電源管理装置が補助回路の動作停止すなわち電源供給停止とする。
【０００６】
また、変流器により供給される電流の不充分さを補うために付加的な電源回路を使用することも知られている。この電源回路は、遮断器の外部にある電圧源に接続されており、変流器からの電流が非常に小さくなったりゼロになったときでさえも遮断器への電源供給を継続して実行する。
【０００７】
【発明が解決しようとする課題】
電源回路へ電圧を出力する外部電圧源は高い値を取ることができる。この値は、一般に、保護すべき電源供給システムの、例えば、１００乃至７００ボルトの電圧に対応する。しかしながら、電源回路により供給される電圧は約１０ボルト乃至２０ボルトの低い値であり、好ましくは、外部電源から電気的に絶縁されているべきである。電源回路により消費される電力は、その上、一般的に大きなものであり、このことは大型の電源構成要素を用いなければならないことを意味している。
【０００８】
付加的電源回路は、非常に大きな寸法の遮断器内には容易に併設することが可能である。小さな寸法の遮断器の場合、この回路は、通常、モジュール化されて遮断器の外部に取り付けられる。
【０００９】
付加的電源回路を集積化することは非常に難しい。中程度の寸法又は小さい寸法の遮断器では利用できるスペースは一般的に非常に小さく、遮断器の接点及び主導体を流れる大電流は動作温度の上昇を引き起こす。この遮断器内の高温度は、回路を形成する構成要素の規格の増大をもたらすことにもなりかねない。これらの構成要素で占められる空間が増大するということと、遮断器内の利用可能のスペースが小さいということとは両立し難いものであろう。
【００１０】
本発明の目的は、集積化された付加的電源回路を有する電子トリップ装置を実現することである。
【００１１】
【課題を解決するための手段】
本発明によれば、トリップ装置は、第２の電源回路の出力端子に接続された入力端子と、電源ラインに接続された出力端子と、第１のチョッピング安定化手段に接続された制御手段と、を有する第２の安定化手段を有しており、この制御手段は、電流センサにより供給される電流が増加したときに、第２の電源回路により供給される平均電流を低減するように制御を行うようになっている。
【００１２】
特別な実施形態においては、第２の安定化手段は、その入力端子と出力端子との間に接続された電流制限手段を有しており、前記制限手段は、制御手段により制御されるようになっている。
【００１３】
好ましい実施形態においては、第１の安定化手段は、第１のチョッピング安定器を有しており、第２の安定化手段は第２のチョッピング安定器を有しており、制御手段は、第１及び第２のチョッピング安定器間に接続された同期化手段を有している。
【００１４】
好ましい実施形態を発展させたものにおいては、第１のチョッピング安定器は、第１の安定化手段の入力端子に接続された電流転換手段と、電源ラインとこの転換手段との間に接続された第１の検出手段とを有しており、前記検出手段は、電源ラインの電圧が予め設定された第１のプリセット閾値を超えた場合に、第１の安定化手段の入力端子の短絡を指令するものであり、第２のチョッピング安定器は、制御手段により制御される電流遮断手段を有しており、この制御手段は、第１の安定化手段が第１の安定化手段の入力端子の短絡を指令したときに、第２の安定器により供給される電流の遮断を指令するものである。
【００１５】
本発明を発展させた第１のものにおいては、第２の安定化手段の出力端子は第１の安定化手段の入力端子に接続されている。
【００１６】
本発明を発展させた第２のものにおいては、第２の安定化手段の出力端子は第１の安定化手段の出力端子に接続されている。
【００１７】
好ましくは、第２の電源回路は、外部電源に接続された整流回路と、電流回路の出力端子に接続された電圧制限器と、この制限器の出力端子に接続され、第２の安定化手段の入力端子に電圧を供給するチョッピングと、を有するものである。
【００１８】
チョッピングは、発振器により電圧が供給される１次巻線と、この１次巻線と電気的に絶縁され、第２の安定化手段の入力端子に接続された２次巻線とを有するトランスを備えている。
【００１９】
チョッピングは、好ましくは、フライバックタイプのものである。
【００２０】
【発明の実施の形態】
図１は公知のタイプの遮断器を示している。保護されるべき電力システム１は、電流を流したり遮断したりすることが可能な接点２に接続されている電気導体を有している。電力システムのそれぞれ異なる導体に設けられている電流センサＴ１，Ｔ２，Ｔ３は、１次側の大電流を、電子トリップ装置に適用可能な２次電流に変換する。この２次電流は、整流・検出回路３の入力端子に出力される。この回路は、２次電流を示す信号を電子処理ユニット４に出力し、電源電流をトリップ装置の第１の電源回路７に出力する。処理ユニット４で生成されたトリップ指令は、遮断器接点２の開放機構６を動作させる制御リレー５の入力端子に出力される。電源回路７は、特に、処理ユニット４、リレー５、及び補助回路８のような、トリップ装置の電気及び電子回路に対し電源ライン１０を通して電力を供給する。
【００２１】
外部電源１１と電源ライン１０との間に接続されている第２の電源回路９は、電流センサにより供給される電流がもはや充分でない場合に、トリップ装置の電気及び電子回路４，５，８に電源を供給する。
【００２２】
図１において、第１の電源回路７は、電流センサにより供給された電流Ｉtcを１又は２以上の直流電圧に変換して電源ライン１０に供給する。第２の電源回路９は、電源１１により供給された第１の直流又は交流電圧ＶＬを第２の直流電圧に変換してライン１０に供給する。この電源ラインは、好ましくは、外部電源１１から電気的に絶縁されている。
【００２３】
図２に示されている電子トリップ装置において、変流器Ｔ１，Ｔ２，Ｔ３は、３つの整流ブリッジ３ａ，３ｂ，３ｃの各交流入力端子に接続されている。これら整流ブリッジの正側出力端子はライン１２に接続されており、負側出力端子は基準ライン０に接続されている。ライン１２は、これらブリッジの正側出力端子を第１の電源回路７の入力端子に接続している。これらの変流器により生成される２次電流はブリッジ３ａ，３ｂ，３ｃにより整流され、それから第１の電源回路７の入力端子に出力される。
【００２４】
従来技術において、第１の電源回路７は、ライン１２に接続された入力端子と電源ラインに接続された出力端子との間に接続されたダイオード１３と、出力端子と基準ライン０との間に接続されたキャパシタ１４と、入力端子と基準ライン０との間に接続されたトランジスタ１５と、電源ライン１０と基準ライン０との間に接続され、トランジスタ１５の制御電極に接続された出力端子を有する第１のチョッピング制御器１６と、を備えている。
【００２５】
変流器Ｔ１，Ｔ２，Ｔ３により供給される電流は、ブリッジ３ａ，３ｂ，３ｃにより整流される。それから、トランジスタ１５がオフされるまでの間、この電流は、ダイオード１３を通ってキャパシタ１４を充電し、ライン１０に接続されている回路に供給される。ライン１０と基準ライン０との間の電圧すなわちキャパシタ１４の両端間電圧Ｖｃがプリセットされている電圧閾値を超えた場合に、チョッピング安定器１６はトランジスタ１５のターンオンを指令する。変流器からの電流は、この後基準ライン０へ転換され、もはや電源ライン１０を通っては流れなくなる。ダイオード１３は、トランジスタ１５に対するキャパシタ１４の放電を阻止する。
【００２６】
チョッピング安定器１６は、電源ライン１０上に存在する電圧に応じて、トランジスタ１５のターンオン及びターンオフを制御する。チョッピング周波数及びサイクル速度は、変流器からの電流に応じて、またライン１０に接続された回路により吸収される電流に応じて変化する。もし、変流器からの電流が増加すると、トランジスタ１５がターンオンされる平均時間が増加すると共にこのトランジスタがターンオフされる時間が減少し、キャパシタの充電電流がより大きくなる。
【００２７】
本発明の第１の実施形態によれば、図２のトリップ装置は、第２の電源回路９と電源ライン１０との間に接続された電流安定回路１７とを有している。回路１７は、電源回路９により供給される直流又は整流された電圧を入力する入力端子と、ライン１０へ安定化された電流を供給する出力端子とを有している。回路１７の電流の安定化は、変流器Ｔ１，Ｔ２，Ｔ３の２次電流が増加したときに、回路１７によりライン１０へ供給される電流の平均値が減少するように行われる。
【００２８】
安定化回路１７は、入力端子と出力端子との間に直列接続されたトランジスタ１８及びダイオード１９と、ライン１０に対する電流供給を制御するためのトランジスタ１８のベースに接続された制御装置２０とを有している。監視装置２０はトランジスタ１８をチョッピング制御する。この装置２０は、同期ラインＳによりチョッピング安定器１６に接続された入力端子を有している。
【００２９】
本発明のこの実施形態において、制御装置２０はチョッピング安定器１６と同期化されている。この安定器１６は、ライン電圧の増加を検出した場合に、トランジスタ１５のターンオンを指令して電源回路７の入力電流を転換させるようにし、そして装置２０に信号を出力して安定化回路１７から電流が出力されないようにする。
【００３０】
安定化回路１７により供給される電流は、キャパシタ１４の充電と同期している。トランジスタ１５がオフされたとき、変流器からの電流及び回路１７からの電流は加算されてキャパシタ１４を充電し、ライン１０の電圧を上昇させる。キャパシタの放電期間中、変流器からの電流はライン０に転換され、回路９，１７により供給される電流はゼロになる。
【００３１】
キャパシタ１４の充電時間は、変流器により供給される電流の値と、回路１７により供給される電流の値とに依存している。回路１７により供給される電流の平均値は、キャパシタ１４の充電及び放電時間に応じたサイクル速度に依存している。回路１７は、キャパシタの充電期間中のみライン１０に電流を供給している。変流器により供給される電流が増加した場合、キャパシタの充電時間は低減され、回路１７により供給される平均電流は減少する。
【００３２】
図３は、本発明に係るトリップ装置の別の実施形態を示している。安定化回路１７の出力端子は、第１の電源回路７の入力端子に接続されている。安定器１６は、ライン１０の電圧を基準電圧と比較し、トランジスタ１５の動作を制御し、ヒステリシスを持つ第１のコンパレータ２１を有している。回路１７は、回路１７の入力端子と出力端子との間に接続された制御電流リミッタ２２を有している。
【００３３】
制御回路２０は第２のコンパレータ２３を有しており、このコンパレータ２３の第１の入力端子は制御回路１７の出力端子に接続されており、第２の入力端子は基準電圧に接続されており、出力端子は回路１７の出力電流を制御する電流リミッタ２２に接続されている。
【００３４】
制御回路２０とチョッピング安定器１６との同期化は、回路１７の出力端子と回路７の入力端子との接続により行われる。キャパシタが充電されなければならないとき、コンパレータ２１はトランジスタ１５のターンオフを指令する。変流器Ｔ１，Ｔ２，Ｔ３の電流は、それからキャパシタ及びライン１０に向けられる。回路２０のコンパレータ２３は、回路１７の出力端子上の高電圧Ｖt （オフされているトランジスタ１５の端子上の電圧）を検出し、回路７の入力端子に対する回路１７による電流供給を指令する。回路１７により供給される電流は、変流器からの電流に対して加えられる。
【００３５】
キャパシタ１４の両端子間の電圧Ｖc すなわちライン１０の電圧がプリセット閾値に到達すると直ちに、コンパレータ２１はトランジスタ１５のターンオンを指令し、回路７の入力電流を転換させる。トランジスタ１５により短絡が行われると、回路７の入力端子上及び回路１７の出力端子上の電圧Ｖt が低下する。コンパレータ２３はこの短絡による電圧低下を検出し、電流リミッタ２２を不動作として回路７の入力端子への電流供給を遮断する。
【００３６】
第１の実施形態の場合と同様に、回路１７はキャパシタの充電期間中のみライン１０に対して電流を供給する。この場合、電流は第１の電源回路７を通って流れる。
【００３７】
図３において、第２の電源回路９の特別な形態は、外部電源１１に接続された整流回路２４と、この整流回路の出力端子に接続された電圧リミッタ２５と、リミッタ２５の出力端子に接続され回路１７の入力端子に電圧を供給するチョッパ２６と、を有している。
【００３８】
整流回路２４は、外部電源１１に接続された入力端子と、直流すなわち極性を与えられた電圧を出力する出力端子とを有している。電源１１は、直流でも交流でもよく、また、単相でも３相でもよい。回路２５は、チョッパ２６の入力端子に出力される直流電圧の最大値を制限する。
【００３９】
チョッパ２６は、１次巻線２８及び２次巻線２９を備えたトランス２７を有している。この１次巻線は、チョッパの入力端子に接続されており、電気発振器３０を通して電圧が供給される。２次巻線は、整流ダイオード３１により回路１７に接続されている。トランス２７は電源１１をトリップ装置から電気的に絶縁している。チョッパの動作は、好ましくはフライバックタイプである。
【００４０】
図４（ａ）乃至図４（ｄ）において、本発明に係るトリップ装置の電源供給を表す信号が示されている。図４（ａ）は、変流器により供給される電流Ｉtcを示している。時刻ｔ0 とｔ1 との間では電流はゼロである。時刻ｔ1 とｔ2 との間では電流の振幅は小さくなっており、時刻ｔ2 とｔ3 との間では電流の振幅は大きくなっている。
【００４１】
図４（ｂ）は、トランジスタ１５の状態及びその端子上の電圧Ｖt に対応する電圧を示している。状態１は、トランジスタ１５がオフされており、電圧Ｖt がライン１０の電圧に明らかに等しくなるほど高いことを意味している。状態０は、トランジスタ１５がオンされ、電圧Ｖt が０ボルト付近の非常に低いレベルであることを示している。
【００４２】
図４（ｃ）は、ライン１０の電圧又はキャパシタ１４の両端間電圧を表す信号Ｖc を示している。電圧Ｖc の変動は、キャパシタ１４の充電及び放電を示している。
【００４３】
図４（ｄ）は、安定化回路１７により供給される電流を示している。
【００４４】
時刻ｔ0 とｔ1 との間では、電流Ｉtcはゼロであり、トリップ装置は、回路１７により供給される電流のみにより供給される。キャパシタの充電時間は長く、そして、キャパシタの各充電／放電サイクルにおいて、電流Ｉs が供給されている時間は、電流Ｉs がターンオフされている期間よりも大きい。時刻ｔ0 に示されている本実施形態において、キャパシタ１４は、すでにトランジスタ１５をターンオンに制御する閾値電圧付近の電圧に充電されており、外部電源はすでに動作している。
【００４５】
時刻ｔ1 とｔ2 との間では、電流Ｉtcは低く、トリップ装置は電流Ｉs 及び電流Ｉtcが供給されている。電流Ｉs のサイクルあたりの供給期間は、時刻ｔ0 とｔ2 との間の期間よりも短い。したがって、回路１７によりライン１０に供給される平均電流は減少する。
【００４６】
時刻ｔ2 とｔ3 との間では、電流Ｉtcは高く、充電時間は低減されている。そして、電流ｉs のターンオフ期間よりも短くなっている、電流Ｉs のサイクルあたりの供給期間は、時刻ｔ1 とｔ2 との間の期間よりもさらに短くなっている。したがって、回路１７によりライン１０に供給される平均電流はさらに減少する。
【００４７】
図５は、図３に係るトリップ装置の電源回路の特別な形態を示す詳細図である。この図では、変流器Ｔ１のみが示されている。整流ブリッジ３ａは、全波整流回路として接続されている４つのダイオード３２，３３，３４，３５により示されている。ダイオード３２，３３のカソードは、トランジスタ１５及びダイオード１３へ接続されているライン１２に対して正電流を供給する。ダイオード３４，３５のアノードは、測定抵抗３６及び基準ライン０を通してフィードバック電流を入力する。
【００４８】
安定化回路１６は、ヒステリシスサイクルに従って動作するコンパレータ２１を有している。抵抗３７，３８，３９はコンパレータの非反転入力端子と出力端子との間、ライン０とライン１０との間にそれぞれ接続されており、閾値及びヒステリシスのウインドウ部を決定するようになっている。反転入力端子とライン０との間に接続されているツェナーダイオード４０がコンパレータ２１の基準電圧を設定する。ダイオード４０の極性化は、ライン１０とこのダイオードのカソードとの間に接続されている抵抗４１により行われる。ダイオード４０に並列接続されているキャパシタ４２によりパワーアップがなされ、動作が改善される。コンパレータ２１の出力は、コンパレータの出力端子をライン１０に接続している抵抗４３により極性化される。コンパレータ２１の出力端子とトランジスタ１５のゲートとの間に接続されているツェナーダイオード４４は、このトランジスタ１５の制御電圧を制限する。トランジスタ１５のゲート及びツェナーダイオード４４の極性化は、トランジスタ１５のゲートをライン０に接続している抵抗４５により行われる。
【００４９】
図５に一部のみが示されているチョッパ２６は、極性を与えられた電圧を出力する。この電圧は直流電圧であり、より一般的には、パルス形状である。チョッピング電圧は、ライン４６を通って電流リミッタ２２に出力される。リミッタ２２は、抵抗４８を通してライン４６に接続されたエミッタを持つトランジスタ４７を有している。トランジスタ４７のベース電圧は、ベースとライン４６との間に接続されたツェナーダイオード４９により、及びダイオード４９のアノードとライン０との間に接続された極性化抵抗５０により決定される。制限された電流の値は、  （Ｖ2 −Ｖbe）／Ｒ  により与えられる。ここで、Ｖ2 はツェナーダイオード４９の電圧、Ｖbeはトランジスタ４７のベース・エミッタ間電圧、Ｒは抵抗４８の値である。
【００５０】
電流リミッタ２２の出力はトランジスタ４７のコレクタ上に生成される。制限された電流はダイオード５１を通って流れ、その後ライン１２上の変流器からの電流に加えられる。トランジスタ４７のコレクタとライン４６との間に接続された抵抗５２は、供給電流が回路１７のみにより提供される場合に、ライン１０の電圧の安定化の開始及び促進を可能にする。
【００５１】
制御回路２０は、コンパレータ２３及び制御トランジスタ５８を有している。このコンパレータ２３の反転入力端子は、２つの抵抗５３，５４により形成される抵抗分圧ブリッジの共通接続点に接続されている。抵抗５３は、共通接続点とライン１０との間に接続されており、抵抗５４は、ライン０と共通接続点との間に接続されている。キャパシタ５５は、抵抗５４の両端に接続され、分圧ブリッジの電圧のフィルタ動作を行うようになっている。抵抗分圧ブリッジ５３，５４は、コンパレータ２２の反転入力端子に対して基準電圧を供給する。コンパレータ２３の非反転入力端子は、リミッタ２２の出力端子に、すなわちトランジスタ４７のコレクタに接続されている。
【００５２】
コンパレータ２３の出力端子は、抵抗５６によりトランジスタ５８の制御ゲートに接続されている。極性化抵抗５７は、トランジスタ５８のゲートとソースとの間に接続されている。
【００５３】
トランジスタ１５がオフされると、ライン１２の電圧は高い値となり、コンパレータ２３の非反転入力端子の電圧は、反転入力端子に供給される基準電圧よりも大きな値となる。そして、コンパレータ２３は、トランジスタ５８のターンオンを指令することはない。電流リミッタ２２は、それから変流器Ｔ１の電流に加えられる電流を出力する。
【００５４】
もし、ライン１２の電圧が上昇すると、コンパレータ２１はトランジスタ１５のターンオンを指令する。コンパレータ２３の非反転入力端子の電圧は、その反転入力端子に供給される基準電圧よりも低くなり始める。それから、コンパレータ２３の出力端子は、ツェナーダイオード４９を短絡するトランジスタ５８のターンオンを指令する。それから、トランジスタ４７がターンオフされ、電流リミッタは、抵抗５２を流れる非常に低い電流を供給するだけとなる。
【００５５】
本発明に係るトリップ装置は、一般に、電流測定信号及び電源供給の双方を提供する磁気回路を備えた変流器を有している。他の実施形態において、本発明に係るトリップ装置は、電流測定用のロゴスキー・トロイドタイプの空心トランスと、電源供給用の磁気回路トランスとを有することができる。
【００５６】
上記した実施形態では、１つの電源ライン１０がトリップ装置に電源供給を行うようになっているが、本発明によれば、種々の回路用に設計され、種々の異なる電圧を持つ、幾つかの電源ラインを有するトリップ装置を実現することが可能である。
【図面の簡単な説明】
【図１】遮断器に組み合わされた公知のトリップ装置の構成図。
【図２】本発明の第１の実施形態に係るトリップ装置の構成図。
【図３】本発明の第２の実施形態に係るトリップ装置の構成図。
【図４】図２又は図３に係るトリップ装置の安定化モードにおける電気信号を示す波形図。
【図５】図３に係るトリップ装置の詳細を示す構成図。
【符号の説明】
Ｔ１，Ｔ２，Ｔ３  電流センサ
１  電力システム
２  接点
３  整流・検出回路
４  処理ユニット
５  制御リレー
６  開放機構
７  第１の電源回路
８  補助回路
９  第２の電源回路
１０  電源ライン
１１  外部電源
１２  ライン
１３  ダイオード
１４  キャパシタ
１５  トランジスタ
１６  チョッピング安定器
１７  安定化回路
１８  トランジスタ
１９  ダイオード
２０  監視装置
２１  第１のコンパレータ
２２  制御電流リミッタ
２３  第２のコンパレータ
２４  整流回路
２５  電圧リミッタ
２６  チョッパ
２７  トランス
２８  １次巻線
２９  ２次巻線
３０  発振器
３１  整流ダイオード
３２〜３５  ダイオード
３６〜３９，４１，４３，５２〜５７  抵抗
４０，４４，４９  ツェナーダイオード
４２，５５  キャパシタ
４７  トランジスタ
４６  ライン
【図１】
0003779019.tif 000002
【図２】
0003779019.tif 000003
【図３】
0003779019.tif 000004
【図４】
0003779019.tif 000005
【図５】
0003779019.tif 000006